(57)【要約】【課題】  例えば、新耐震基準で建築され若しくは耐震補強された吊り天井構造体と床面間に設ける耐震性間仕切装置の構築に用い、地震による建築物の層間変位や振動を吸収する機能を備えた耐震性間仕切装置に用いる柱ユニットを提供する。【解決手段】  支柱部１５と該支柱部の一側に沿って配置する可動部１６とを備え、支柱部の表裏両側に設けた一対の側面板５３と可動部の表裏両側に設けた一対の外壁板５９とを内外に重なるように遊嵌するとともに、支柱部に対して可動部を側方突出方向へ弾性付勢した。支柱部と可動部とをガイド棒１７と圧縮コイルばね１８とで、支柱部に対して可動部を横方向へ変位可能に連繋するとともに、側方突出方向へ弾性付勢してなる。【選択図】        図１２
2015021261.tif 000002
【特許請求の範囲】
【請求項１】
支柱部と該支柱部の一側に沿って配置する可動部とを備え、前記支柱部の表裏両側に設けた一対の側面板と前記可動部の表裏両側に設けた一対の外壁板とを内外に重なるように遊嵌するとともに、該支柱部に対して可動部を側方突出方向へ弾性付勢したことを特徴とする柱ユニット。
【請求項２】
前記支柱部と可動部とをガイド棒と圧縮コイルばねとで、該支柱部に対して可動部を横方向へ変位可能に連繋するとともに、側方突出方向へ弾性付勢してなる請求項１記載の柱ユニット。
【請求項３】
前記支柱部は中空杆体部の一側面に沿って表裏両側に一対の側面板を延設し、前記支柱部の一側面の上下部に前記ガイド棒を挿通可能な挿通孔を形成するとともに、該挿通孔と対向する前記中空杆体部の他側面に該挿通孔よりも大きな逃がし孔を形成し、前記可動部は、前記支柱部と略同じ上下長さを有する断面略コ字形の部材であり、外側端部に位置する基端板の表裏両側から一対の外壁板を延設し、両外壁板の内側に前記支柱部の両側面板を受け入れることができるようになっており、そして前記基端板に前記挿通孔と対応する位置に取付孔を形成し、前記ガイド棒の一端を前記可動部の基端板の内側に当接するとともに、外側から前記取付孔に挿通したネジをガイド棒の端部の螺孔に螺合して固定するとともに、前記ガイド棒に前記圧縮コイルばねを外挿した状態で、該ガイド棒の他端部を前記支柱部の挿通孔に通し、前記逃がしより挿入したネジをガイド棒の端部の螺孔に螺合し、前記挿通孔に対して抜止め状態とする請求項２記載の柱ユニット。
【請求項４】
前記可動部の基端板の中央部を内側に凹ませて断面をハット型とし、中央部の後退板に前記ガイド棒を固定するための前記取付孔を形成し、前記ガイド棒の一端を前記後退板の内側に当接するとともに、外側から前記取付孔に挿通したネジをガイド棒の端部の螺孔に螺合した状態で、該ネジの頭部を基端板から突出しないように設定するとともに、該基端板の外側面に、壁面等の固定部に当接するためのクッション材を添設してなる請求項３記載の柱ユニット。
【発明の詳細な説明】
【技術分野】
【０００１】
本発明は、柱ユニットに係わり、更に詳しくは例えば耐震性間仕切装置を構築する際に構造壁面等の固定部に対向して設ける柱ユニットに関するものである。
【背景技術】
【０００２】
通常、オフィスビル等の室内の天井には、吊り天井構造体が多く採用されている。つまり、階上のスラブから垂下した吊支部材（吊りボルト）によって、縦横に張り巡らした天井支持杆を吊下げ状に保持し、該天井支持杆に天井パネルの周囲を係止する構造である。このような吊り天井構造体を有する室内に天井から床面にわたって間仕切パネルを設置する場合、間仕切パネルの天レールを天井支持杆に固定し、地レールは床面に固定することになる。
【０００３】
従来、吊り天井構造体に対する耐震基準はなく、東日本大震災によって多くの吊り天井構造体が落下し、破損したことを受けて、天井の耐震性を高める機運が高まっている。体育館や劇場等の大型建築物の吊り天井構造体に対しては、吊りボルトにブレースを設けて耐震性を高めるとともに、壁や柱等の構造体と吊り天井構造体との間にクリアランスを設けて天井パネルの端部の破損を防止する等の耐震基準が提案されている。新耐震基準では、層間変位が１／６０〜１／４０、震度７、入力加速度が２．２Ｇに耐えることが要求されている。
【０００４】
従来から耐震性間仕切装置は各種提供されてきた。例えば、特許文献１には、建築構造体に懸吊機構を介して吊持された天井レールと、この天井レールに止着具を介して上端部を支持させた枠構造をなす壁本体と、この壁本体の少なくとも１面に添設したパネルと、床に設けられ前記壁本体の下端部を保持する床レールとを具備してなり、前記懸吊機構が、前記天井レールを取着するためのバー材と、前記建築構造体に支持されバー材を把持するハンガー部材とを具備し、バー材が、掛止用膨出部と揺止用膨出部とを上下方向に離間して備え、前記ハンガー部材が、その下端に下端屈曲片を備え、掛止用膨出部と揺止用膨出部とをハンガー部材で挟持した状態で掛止用膨出部が下端屈曲片に係合する構造が開示されている。そして、断面略Ｔ字状のバー材の下端水平部に天井パネルの側縁を係止するとともに、該水平部の下面に間仕切装置を構成する枠構造の壁本体の上端をネジ止めした構造となっており、地震による層間変位をハンガー部材とバー材の連結部で吸収しようとする発想である。
【０００５】
一方、特許文献２には、固定壁面に直接又は間仕切パネルを介して固定した縦枠体の表裏両側に、それぞれ免震パネル板の一側を蝶番にて回動可能に蝶着するとともに、両免震パネル板の他側端縁を内方へ鋭角に折曲して内向き傾斜面を形成し、中間に設置する間仕切パネル側端に取付けた端部材の表裏両側部に、前記内向き傾斜面と平行になるように外向き傾斜面を形成し、前記内向き傾斜面と外向き傾斜面を突き合い当止した状態を維持すべく、両免震パネル板間であって中間の間仕切パネル側端に直接又は他の部材を介して取付けたマグネットキャッチにて両免震パネル板を互いに接近する方向に引き付けてなる免震対応パネルが開示されている。この場合、地震による層間変位を、免震パネルを開き、中間に位置する間仕切パネルに伝達しないようにするという発想である。また、間仕切パネル自体は、支柱の上部に上方へ弾性付勢した押圧杆を設けるとともに、巾木を下方へ弾性付勢した構造とし、前記押圧杆を天レールに弾性圧接するとともに、巾木を床面に弾性圧接し、層間変位を吸収するように構成している。
【０００６】
しかし、特許文献１に記載のものは、懸吊機構で天井構造体と間仕切壁をも支持する構造であるので、大きな地震時に懸吊機構に過大な力が加わるので、よほど強度の高い懸吊機構にしないと持たないと予想される。一方、特許文献２に記載のものは、中間に設ける間仕切パネル自体にも弾性変形可能な変位吸収機構を設けているので、大幅なコスト高となる。
【先行技術文献】
【特許文献】
【０００７】
【特許文献１】特許第２８４２２９１号公報
【特許文献２】特許第３１８６２７５号公報
【発明の概要】
【発明が解決しようとする課題】
【０００８】
そこで、本発明が前述の状況に鑑み、解決しようとするところは、例えば新耐震基準で建築され若しくは耐震補強された吊り天井構造体と床面間に設ける耐震性間仕切装置の構築に用い、地震による建築物の層間変位や振動を吸収する機能を備えた耐震性間仕切装置に用いる柱ユニットを提供する点にある。
【課題を解決するための手段】
【０００９】
本発明は、前述の課題解決のために、支柱部と該支柱部の一側に沿って配置する可動部とを備え、前記支柱部の表裏両側に設けた一対の側面板と前記可動部の表裏両側に設けた一対の外壁板とを内外に重なるように遊嵌するとともに、該支柱部に対して可動部を側方突出方向へ弾性付勢したことを特徴とする柱ユニットを構成した（請求項１）。
【００１０】
ここで、前記支柱部と可動部とをガイド棒と圧縮コイルばねとで、該支柱部に対して可動部を横方向へ変位可能に連繋するとともに、側方突出方向へ弾性付勢してなることが好ましい（請求項２）。
【００１１】
具体的には、前記支柱部は中空杆体部の一側面に沿って表裏両側に一対の側面板を延設し、前記支柱部の一側面の上下部に前記ガイド棒を挿通可能な挿通孔を形成するとともに、該挿通孔と対向する前記中空杆体部の他側面に該挿通孔よりも大きな逃がし孔を形成し、前記可動部は、前記支柱部と略同じ上下長さを有する断面略コ字形の部材であり、外側端部に位置する基端板の表裏両側から一対の外壁板を延設し、両外壁板の内側に前記支柱部の両側面板を受け入れることができるようになっており、そして前記基端板に前記挿通孔と対応する位置に取付孔を形成し、前記ガイド棒の一端を前記可動部の基端板の内側に当接するとともに、外側から前記取付孔に挿通したネジをガイド棒の端部の螺孔に螺合して固定するとともに、前記ガイド棒に前記圧縮コイルばねを外挿した状態で、該ガイド棒の他端部を前記支柱部の挿通孔に通し、前記逃がしより挿入したネジをガイド棒の端部の螺孔に螺合し、前記挿通孔に対して抜止め状態とすることがより好ましい（請求項３）。
【００１２】
更に、前記可動部の基端板の中央部を内側に凹ませて断面をハット型とし、中央部の後退板に前記ガイド棒を固定するための前記取付孔を形成し、前記ガイド棒の一端を前記後退板の内側に当接するとともに、外側から前記取付孔に挿通したネジをガイド棒の端部の螺孔に螺合した状態で、該ネジの頭部を基端板から突出しないように設定するとともに、該基端板の外側面に、壁面等の固定部に当接するためのクッション材を添設してなることも好ましい（請求項４）。
【発明の効果】
【００１３】
以上にしてなる請求項１に係る発明の柱ユニットは、支柱部と該支柱部の一側に沿って配置する可動部とを備え、前記支柱部の表裏両側に設けた一対の側面板と前記可動部の表裏両側に設けた一対の外壁板とを内外に重なるように遊嵌するとともに、該支柱部に対して可動部を側方突出方向へ弾性付勢したので、例えば耐震性の吊り天井に取付けた天レールと床面に取付けた地レール間に複数の支柱を立設するともに、隣接する支柱間にパネル板を取付けてなる耐震性間仕切装置において、構造壁面、コーナー支柱及びドア縦枠等の固定部に隣接する位置に、前記支柱の代わりに設け、前記固定部に前記可動部を弾性圧接した状態で設置すれば、地震によって大きな横揺れが発生しても、柱ユニットに備えた機能によって建築物の層間変位及び振動を弾性的に吸収するので、パネル構造自体の損傷及び倒壊を防止できるのである。また、柱ユニットは、支柱の機能と横方向変位の吸収機能を備え、それ自体で一つの部品として提供できるので、支柱の代わりに壁面等の固定部の近くに設ければ、間仕切パネルに耐震性を付与することもできる。
【００１４】
請求項２によれば、前記支柱部と可動部とをガイド棒と圧縮コイルばねとで、該支柱部に対して可動部を横方向へ変位可能に連繋するとともに、側方突出方向へ弾性付勢してなるので、支柱部と可動部を簡単且つ確実に分離しないように連繋することができ、また支柱部と可動部の間に隙間が生じることがない。
【００１５】
請求項３によれば、前記支柱部は中空杆体部の一側面に沿って表裏両側に一対の側面板を延設し、前記支柱部の一側面の上下部に前記ガイド棒を挿通可能な挿通孔を形成するとともに、該挿通孔と対向する前記中空杆体部の他側面に該挿通孔よりも大きな逃がし孔を形成し、前記可動部は、前記支柱部と略同じ上下長さを有する断面略コ字形の部材であり、外側端部に位置する基端板の表裏両側から一対の外壁板を延設し、両外壁板の内側に前記支柱部の両側面板を受け入れることができるようになっており、そして前記基端板に前記挿通孔と対応する位置に取付孔を形成し、前記ガイド棒の一端を前記可動部の基端板の内側に当接するとともに、外側から前記取付孔に挿通したネジをガイド棒の端部の螺孔に螺合して固定するとともに、前記ガイド棒に前記圧縮コイルばねを外挿した状態で、該ガイド棒の他端部を前記支柱部の挿通孔に通し、前記逃がしより挿入したネジをガイド棒の端部の螺孔に螺合し、前記挿通孔に対して抜止め状態とするので、単純な構造であるにも係わらず、支柱の機能と横方向変位の吸収機能を備えたものとなり、汎用部品として安価に提供できる。
【００１６】
請求項４によれば、前記可動部の基端板の中央部を内側に凹ませて断面をハット型とし、中央部の後退板に前記ガイド棒を固定するための前記取付孔を形成し、前記ガイド棒の一端を前記後退板の内側に当接するとともに、外側から前記取付孔に挿通したネジをガイド棒の端部の螺孔に螺合した状態で、該ネジの頭部を基端板から突出しないように設定するとともに、該基端板の外側面に、壁面等の固定部に当接するためのクッション材を添設してなるので、可動部を壁面等の固定部に圧接しても該固定部が傷付くことがないのである。
【図面の簡単な説明】
【００１７】
【図１】本発明の柱ユニットを用いて室内を区画する耐震性間仕切装置を構築した例を示す簡略平面図である。
【図２】同じく正面図である。
【図３】耐震性間仕切装置の部分正面図である。
【図４】耐震性間仕切装置の下部構造を示す分解縦断面図である。
【図５】耐震性間仕切装置の上部構造を示す分解縦断面図である。
【図６】耐震性間仕切装置の縦断側面図である。
【図７】耐震性間仕切装置の下部の拡大縦断側面図である。
【図８】天レールを天井支持材に取付けた状態の拡大断面図である。
【図９】耐震性間仕切装置の縦断面図である。
【図１０】下部構造を示す分解斜視図である。
【図１１】耐震性間仕切装置の縦断正面図である。
【図１２】柱ユニットの部分分解斜視図である。
【図１３】耐震性間仕切装置の部分分解横断平面図である。
【図１４】耐震性間仕切装置の部分横断平面図である。
【発明を実施するための形態】
【００１８】
次に、添付図面に示した実施形態に基づき、本発明を更に詳細に説明する。図１〜図３は本発明の柱ユニットを用いて室内を区画する耐震性間仕切装置を構築した例を示し、図４〜図１４は耐震性間仕切装置の詳細を示し、図中符号Ｓは天井スラブ、Ｆは床面、Ｗは壁面、Ａは耐震性間仕切装置、Ｃはコーナー支柱、Ｄはドアユニット、１は吊り天井構造体、２は天井支持材、３は天レール、４は地レール、５は支柱、６は柱ユニット、７はパネル板、８は補強部材、９はスライダーをそれぞれ示している。
【００１９】
本実施形態では、吊り天井構造体１は、新基準の耐震性を備えていることを前提とする。前記吊り天井構造体１は、天井スラブＳに対して天井支持材２により天井パネル１０，…を支持した構造であり、具体的には吊りボルトで天井支持材２を縦横に支持するとともに、吊りボルト間にブレースを設けて耐震性を高めた構造であるが、図示は省略する。
【００２０】
耐震性の吊り天井と床面間に設置する耐震性間仕切装置は、天井パネル１０を支持する天井支持材２に下向き開放の断面略コ字形の天レール３を取付け、床面Ｆに上向き開放の断面略コ字形の地レール４を取付けるとともに、該地レール４の凹溝１３内にレベル調節部材１１を配置し、支柱５の下端に直接又は間接に設けたスライダー９を前記地レール４の凹溝内でレベル調節部材１１の上面に地レール４に沿った方向へ摺動可能に載置するとともに、支柱５の上端を前記天レール３の凹溝１４内に嵌挿し、更に該支柱５の上端部に装着した天保持金具１２で天レール３から脱落しないように保持し、所定間隔で立設した前記支柱５，５間を補強部材８，８で連結して剛性構造のフレームを構成するとともに、隣接する支柱５，５間にパネル板７の両側部を取付け、構造壁面Ｗ、コーナー支柱Ｃ及びドア縦枠Ｄ等の固定部に隣接する位置に、前記支柱５の代わりに横方向への変位を弾性的に吸収する機能を備えた柱ユニット６を設け、前記固定部に柱ユニット６の可動部を弾性圧接してなるものである。
【００２１】
ここで、前記柱ユニット６は、図４及び図５に示すように、アルミ押出し型材からなる支柱部１５と該支柱部１５の一側に沿って配置する可動部１６とを備え、該可動部１６はガイド棒１７と圧縮コイルばね１８とで前記支柱部１５に連繋されており、該支柱部１５に対して側方突出方向へ弾性付勢したものである。前記柱ユニット６は、構造壁面Ｗ、コーナー支柱Ｃ及びドア縦枠（ドアユニット）Ｄ等の固定部に隣接する位置に設ける。
【００２２】
前記地レール４の凹溝１３内には、図４、図６及び図７に示すように、適宜間隔でアジャスター１９，…を底面に固定し、下方開放した断面コ字形の前記レベル調節部材１１を、前記アジャスター１９，…に載置して設け、該地レール４の表裏両側に立起した巾木板２０，２０と前記レベル調節部材１１の上面とで、上方開放した凹溝部２１を形成している。前記アジャスター１９は、キャップ型の受金具２２と該受金具２２の上面に垂直に螺合したボルト２３とで構成し、前記受金具２２の下端に屈曲形成した固定片２４をネジ２５で地レール４の底面板２６とともに床面Ｆに固定する。
【００２３】
階上の天井スラブＳの下方には、前記天井支持材２を縦横に張り巡らせて天井パネル１０の周囲を保持し、図８に示すように、隣接する天井パネル１０，１０の間に臨んだ天井支持材２の任意の位置に取付金具２８を取付ける。そして、前記取付金具２８，…を用いて吊り天井構造体１に前記天レール３を取付けるのである。更に詳しくは、前記天井支持材２は、図８に示すように、垂直な吊支板２９の下端に、開口溝を下に向けて形成した断面略Ｃ字形の係止レール３０を有している。前記取付金具２８は、本体金具３１と支持ボルト３２及びナット３３とか構成され、前記本体金具３１は、長方形の基板の両側縁の対角位置に断面Ｌ字形の係止片３４，３４を折曲形成するとともに、基板の中央部に形成した通孔に頭部３５を有する支持ボルト３２を上方から挿通し、該支持ボルト３２にナット３３を螺合した構造である。前記天井パネル１０は、端部の下面側に切欠部３６を形成し、該切欠部３６を前記係止レール３０の上部に係合させて保持している。前記取付金具２８を前記天井支持材２の係止レール３０に取付けるには、前記天井パネル１０，１０の端部を持ち上げて、該係止レール３０の上縁を開放し、取付金具２８の係止片３４，３４を係止レール３０の上縁に係止すると同時に、前記支持ボルト３２の頭部３５を開口溝から係止レール３０の内部に挿入して両開口縁部に係止する。それから、前記天レール３の上面板３Ａに設けた通孔に前記支持ボルト３２の下部を挿入し、ナット３３を螺合して締結する。
【００２４】
それから、図６、図７及び図１０に示すように、前記支柱５及び柱ユニット６の支柱部１５の下端に支柱受金具２７を取付け、該支柱受金具２７の下端に合成樹脂製の前記スライダー９を設け、前記凹溝部２１に前記支柱受金具２７の下端部を両巾木板２０，２０間に当接状態で挿入するとともに、前記スライダー９を前記レベル調節部材１１の上面に摺動可能に載置する。前記支柱５の上端部は、前記天レール３の凹溝１４内に直接、又は前記天保持金具１２を介して深く嵌合して、地震の振動によっても脱落しないようにしている。そして、隣接する前記支柱５，５の上部間は、上下幅の広い前記補強部材８、８で連結し、また前記柱ユニット６の支柱部１５と隣接する前記支柱５とを同様に前記補強部材８，８で連結して剛性の高いフレーム構造とし、最後に前記支柱５，５間及び支柱５と柱ユニット６の支柱部１５間に前記パネル板７の両側部を取付ける。前記柱ユニット６の前記可動部１６を前記構造壁面Ｗ、コーナー支柱Ｃ及びドア縦枠Ｄ等の固定部に弾性的に圧接する。
【００２５】
ここで、図３に示すように、前記柱ユニット６の表裏を側カバー３７，３７で覆い、該側カバー３７，３７から前記可動部１６の少なくとも側端部を側方へ露出させている。実際には、前記側カバー３７，３７は、前記柱ユニット６に取付けるパネル板７，７の一側部に連続して設けたパネル延長部で形成している。
【００２６】
前記天レール３の端部は、図３及び図５に示すように、吊り天井構造体１の揺れを吸収するために壁面Ｗに直接接触させず、補助天レール３８をレール方向に相対変位可能に嵌挿して設けている。前記天レール３の端部は、パネル板７の端縁と略面一になるように寸法設定し、前記柱ユニット６の可動部１６の露出部分と同じだけ前記補助天レール３８が壁面Ｗとの間に露出している。また、前記支柱受金具２７は、図７及び図１０に示すように、上部を前記支柱５の下端部に嵌挿するとともに、側面に切り起した突片３９，…で該支柱５の下端を当止し、両側面には支持片４０，４０を突設し、隣接する支柱５，５間に前記パネル板７の下端を載支するパネル受金具４１を該支持片４０に取付けるようになっており、更に底面には孔４２を形成したものである。そして、前記支柱受金具２７の下端部に嵌合した前記スライダー９の上部に突設した突起４３を前記孔４２に嵌挿し、適宜上方から突起４３の先端を熱変形させるなどの抜止め措置を講ずる。ここで、前記スライダー９の上面には、前記支柱受金具２７の下端を両側から抱き込むように突条４４，４４を突設し、激しい振動によっても該スライダー９が支柱受金具２７から分離しないようにしている。
【００２７】
また、前記柱ユニット６の支柱部１５の下端部に前記支柱受金具２７を嵌着するには、図４、図１１及び図１２に示すように、前記支柱部１５の一部に切欠部４５を形成し、該切欠部４５に、前記支柱５の内形状と同様な嵌合部を備えた補助金具４６をネジ止めし、該補助金具４６に前記支柱受金具２７の上部を嵌挿して装着している。そして、前記パネル板７を支柱５に取付けるには、図４、図６、図７及び図１１示すように、該支柱５の表裏両面に形成した係止孔４７に係止具４８を係止し、該係止具４８の上向きフック部４９にパネル板７の両側裏面板に設けた係止孔（図示せず）を係止する。また、前記柱ユニット６にあっては、図４、図５、図９及び図１１に示すように、前記支柱部１５の側面に係止金具５０をネジ止めし、該係止金具５０の両側に設けた上向きフック部５１，５１を支柱部１５の表裏両面から突出させ、該上向きフック部５１に前記同様にパネル板７の両側裏面板に設けた係止孔（図示せず）を係止する。
【００２８】
次に、図４、図５、図１１〜図１４に基づいて、前記柱ユニット６を更に詳しく説明する。前記柱ユニット６は、支柱部１５と該支柱部１５の一側に沿って配置する可動部１６とをガイド棒１７と圧縮コイルばね１８とで、支柱部１５に対して可動部１６を横方向へ変位可能に連繋するとともに、側方突出方向へ弾性付勢した構造である。前記支柱部１５は、強度の高い中空杆体部５２の一側面に沿って表裏両側に一対の側面板５３，５３を延設し、側方へ開放した凹溝５４を形成し、前記支柱部１５の一側面で前記凹溝５４の底面となる区画板５５の上下部に前記ガイド棒１７を挿通可能な挿通孔５６を形成するとともに、該挿通孔５６と対向する前記中空杆体部５２の他側面に該挿通孔５６よりも大きな逃がし孔５７を形成している。前記可動部１６は、前記支柱部１５と略同じ上下長さを有する断面略コ字形の部材であり、外側端部に位置する基端板５８の表裏両側から一対の外壁板５９，５９を延設し、両外壁板５９，５９の内側に前記支柱部１５の両側面板５３，５３を受け入れることができるようになっており、そして前記基端板５８の中央部を内側に凹ませて断面をハット型とし、中央部の後退板６０に前記挿通孔５６と対応する位置に取付孔６１を形成している。
【００２９】
前記ガイド棒１７は、金属丸棒であり、両端に螺孔６２，６２を形成している。そして、前記ガイド棒１７の一端を前記可動部１６の後退板６０の内側に当接するとともに、外側から前記取付孔６１に挿通したネジ６３を前記螺孔６２に螺合して固定する。それから、前記ガイド棒１７には前記圧縮コイルばね１８を外挿し、該圧縮コイルばね１８を圧縮状態で該ガイド棒１７の他端部を前記支柱部１５の挿通孔５６に通し、前記逃がし孔５７より挿入したネジ６４を前記螺孔６２に螺合する。この初期状態で、前記圧縮コイルばね１８の一端は前記可動部１６の後退板６０の内側に当接し、他端は前記支柱部１５の区画板５５の外側に当接するとともに、前記支柱部１５の両側面板５３，５３の外側に前記可動部１６の両外壁板５９，５９が重なっている。前記ネジ６４の頭部若しくはワッシャは前記挿通孔５６を通過できない大きさであり、つまり前記挿通孔５６に対して抜止め状態とし、前記支柱部１５に可動部１６を分離しないように連繋する作用をする。ここで、前記支柱部１５の表裏両側に設けた一対の側面板５３，５３と前記可動部１６の表裏両側に設けた一対の外壁板５９，５９とを常に内外に重なるように遊嵌した状態にすることが重要である。一方、前記支柱部１５に対して、前記圧縮コイルばね１８の弾性力に抗して可動部１６が押し込まれた際には、前記ネジ６４の頭部若しくはワッシャ及びガイド棒１７の端部は、前記逃がし孔５７を干渉することなく通過する。また、前記可動部１６の基端板５８の外側面に、壁面Ｗなどの固定部に当接するためのゴム製のクッション材６５，６５を両側に添設している。前記ガイド棒１７を固定したネジ６３の頭部は、前記基端板５８の凹溝部内に位置し、端面から突出しないようになっている。尚、前記ネジ６４の頭部若しくはワッシャで、前記ガイド棒１７の端部を区画板５５の挿通孔５６に対して抜止め状態とする構造の他に、該ガイド棒１７の端部にＥリング等の抜止め金具を嵌着することも可能である。
【００３０】
前記柱ユニット６は、図１に示すように、構造壁面Ｗ、コーナー支柱Ｃ及びドア縦枠Ｄ等の固定部に隣接する位置に、前記支柱５の代わりに設けられている。そして、耐震性間仕切装置Ａに組み込んだ状態では、図１４に示すように、前記圧縮コイルばね１８が初期状態より更に圧縮され、前記可動部１６の端部に設けたクッション材６５，６５が壁面Ｗなどの固定部に圧接された状態となる。この場合、前記側カバー３７，３７によって前記可動部１６の内側の一部が外覆されており、前記支柱部１５は全く見えないようになっている。
【００３１】
本発明の耐震性間仕切装置Ａにおいて、前記支柱５及び柱ユニット６は、地レール４の凹溝１３内に設けたレベル調節部材１１の上面にスライダー９を介して載置され、床面Ｆに対して拘束されてないため、地震によって前記天レール３及び地レール４の方向に振動が発生した場合に、それぞれ補強部材８で連結された各支柱５，…と柱ユニット６は剛性の高いフレームとして一体となってレール方向に平行移動し、その変位は前記柱ユニット６の可動部１６が弾性付勢力に抗して変位することで吸収する。前記フレームの両側には、柱ユニット６，６が必ず存在するので、どちらの方向にスライド変位しても可動部１６で変位を吸収することができる。
【００３２】
本発明の耐震性間仕切装置Ａを振動試験装置に設置して試験したところ、震度７に相当する揺れでも倒壊することはなく、石膏ボードからなる天井パネル１０の縁部の一部が粉状に崩れた以外、間仕切装置自体には外観性における損傷は全く生じなかった。
【符号の説明】
【００３３】
Ａ  耐震性間仕切装置、        Ｃ  コーナー支柱、
Ｄ  ドア縦枠（ドアユニット）、Ｆ  床面、
Ｓ  天井スラブ、              Ｗ  壁面、
１  天井構造体、              ２  天井支持材、
３  天レール、                ４  地レール、
５  支柱、                    ６  柱ユニット、
７  パネル板、                ８  補強部材、
９  スライダー、              １０  天井パネル、
１１  レベル調節部材、        １２  天保持金具、
１３  凹溝、                  １４  凹溝、
１５  支柱部、                １６  可動部、
１７  ガイド棒、              １８  圧縮コイルばね、
１９  アジャスター、          ２０  巾木板、
２１  凹溝部、                ２２  受金具、
２３  ボルト、                ２４  固定片、
２５  ネジ、                  ２６  底面板、
２７  支柱受金具、            ２８  取付金具、
２９  吊支板、                ３０  係止レール、
３１  本体金具、              ３２  支持ボルト、
３３  ナット、                ３４  係止片、
３５  頭部、                  ３６  切欠部、
３７  側カバー、              ３８  補助天レール、
３９  突片、                  ４０  支持片、
４１  パネル受金具、          ４２  孔、
４３  突起、                  ４４  突条、
４５  切欠部、                ４６  補助金具、
４７  係止孔、                ４８  係止具、
４９  上向きフック部、        ５０  係止金具、
５１  上向きフック部、        ５２  中空杆体部、
５３  側面板、                ５４  凹溝、
５５  区画板、                ５６  挿通孔、
５７  逃がし孔、              ５８  基端板、
５９  外壁板、                ６０  後退板、
６１  取付孔、                ６２  螺孔、
６３  ネジ、                  ６４  ネジ、
６５  クッション材。
【図１】
2015021261.tif 000003
【図２】
2015021261.tif 000004
【図３】
2015021261.tif 000005
【図４】
2015021261.tif 000006
【図５】
2015021261.tif 000007
【図６】
2015021261.tif 000008
【図７】
2015021261.tif 000009
【図８】
2015021261.tif 000010
【図９】
2015021261.tif 000011
【図１０】
2015021261.tif 000012
【図１１】
2015021261.tif 000013
【図１２】
2015021261.tif 000014
【図１３】
2015021261.tif 000015
【図１４】
2015021261.tif 000016